(57)【特許請求の範囲】
【請求項１】
車体（７）前部に、昇降可能、且つ、前側が中央へ向かって水平対向回転する左右一対のブレード刃（１３）を有する刈草処理装置（３）を、その後部には左右一対のクローラ（１）を設け、この左右クローラ（１）間にわたって門形状トンネル形態に形成しクローラ（１）への草類の巻込みを阻止する巻込阻止ガイド（２）を設けるとともに、該巻込阻止ガイド（２）前端部に左右両側及び上方とに拡張形成した拡張案内縁（３９）を設け、この拡張案内縁（３９）の前側に接近させて刈草処理装置（３）の排出口（４）をのぞませたことを特徴とする草刈り用農作業機のクローラ走行装置。
【発明の詳細な説明】
【０００１】
【発明の属する技術分野】
この発明は、草刈機のような農作業機のクローラ走行装置に関する。
【０００２】
【従来の技術】
農作業機の走行装置として、クローラ走行装置の形態とすることが多いが、このクローラの回転内周面が、接地面に接近し、著しきはこの接地面が軟弱な土壌面よりも下位に沈下して、低位置にあって、わら屑や草茎等を巻込み易い状態にある。特に草刈機や牧草収穫機、更にはコンバイン等のようにわらや草を作業対象とする走行機体にあっては、クローラに対するわら草の巻込みが行われ易い。この発明は、簡単な構成によってこのような欠陥を解消するものである。
【０００３】
【課題を解決するための手段】
請求項１に記載の発明は、車体７前部に、昇降可能、且つ、前側が中央へ向かって水平対向回転する左右一対のブレード刃１３を有する刈草処理装置３を、その後部には左右一対のクローラ１を設け、この左右クローラ１間にわたって門形状トンネル形態に形成しクローラ１への草類の巻込みを阻止する巻込阻止ガイド２を設けるとともに、該巻込阻止ガイド２前端部に左右両側及び上方とに拡張形成した拡張案内縁３９を設け、この拡張案内縁３９の前側に接近させて刈草処理装置３の排出口４をのぞませたことを特徴とする草刈り用農作業機のクローラ走行装置の構成とする。機体は左右一対のクローラ１の駆動回転によって推進走行されて対地作業することができる。左右のクローラ１間の間隔部のわら草類は、門形状トンネル形態の巻込阻止ガイド２に沿って後方へ案内され、前側に装着された刈草処理装置３で処理される草茎が排出口４から排出されると、そのまま左右のクローラ１間の巻込阻止ガイド２間に位置されて、後方の走行跡地面へ案内される。
【０００４】
【０００５】
【０００６】
【０００７】
【０００８】
【発明の効果】
請求項１に記載の発明は、車体７前部に、昇降可能、且つ、前側が中央へ向かって水平対向回転する左右一対のブレード刃１３を有する刈草処理装置３を、その後部には左右一対のクローラ１を設け、この左右クローラ１間にわたって門形状トンネル形態に形成しクローラ１への草類の巻込みを阻止する巻込阻止ガイド２を設けてあるので、左右のクローラ１の接地部の回転内側端縁部に接近するわら草類が、巻込阻止ガイド２に案内されて、クローラ１の回転内周面側への巻込みが阻止されて、左右クローラ１間の間隔部を後方へ案内される。このためわら草類の多い圃場面での走行作業においてクローラ１の外れや、伸びを少なくして、円滑で的確なクローラ駆動走行を維持できる。
又、左右のクローラ１の回転内周面への直接のわら草巻込阻止はもとより、車体底部へのわら草類の接触をも阻止されて、クローラ１のわら草類の巻込阻止効果を有効に行わせることにより車体７前側に刈草処理装置３を設け、多量の刈草を収集排出する形態では有効で、わら草の排出を円滑に行わせることができる。
【０００９】
更に、巻込阻止ガイド２前端部に左右両側及び上方とに拡張形成した拡張案内縁３９を設け、この拡張案内縁３９の前側に接近させて刈草処理装置３の排出口４をのぞませてあるので、作業中に刈草処理装置３が上下動してもわら草の排出案内作用が的確に行われ、この巻込阻止ガイド２との間の継目から外部への飛散を少なくすることができ、巻込阻止ガイド２による案内作用を効果的に行わせることができる。
【００１０】
【００１１】
【００１２】
【００１３】
【発明の実施の形態】
この発明の実施例を図面に基づいて説明する。左右一対のクローラ１を有する車体７の前側に刈草処理装置３として草刈装置を装着している。車体７は上部にエンジン８を搭載し、後方に操縦ハンドル９のハンドルフレーム１０を有する。この車体７の前部にはリンクブラケット１１に平行リンク形態のリフトリンク１２を昇降可能に設け、このリフトリンク１２の前端に、上下二段のブレート刃１３をブレード軸１４で軸装した刈取フレーム１５を取付ける。エンジン８で駆動される駆動軸３０からベルト１６を介して、リンクブラケット１１上の出力軸１７、及びこの出力軸１７と刈取フレーム１５上の刈取軸１８との間のベルト１９等を経てブレード軸１４を伝動する。
【００１４】
前記クローラ１は無端帯状形態とし、外周面には一定間隔にラグ２０を形成し、各ラグ２０の間にはクローラ１幅の中央部に沿って駆動スプロケット２１の噛合するスプロケット穴２２を形成する。又、クローラ１の前後の各スプロケット穴２２間には芯金２３が埋設されて、この芯金２３の内方に案内突子２４が形成されて、クローラ１の回転内周面に突出させている。このクローラ１の回転内側端縁部２５は、案内突子２４やスプロケット穴２２部から外側方に位置するクローラ幅の最外側縁部に沿って形成され、クローラゴム材部を主体として構成される。
【００１５】
このようなクローラ１を掛け渡すクローラフレーム２６が車体７の下部左右両側部に沿って設けられ、前端部にはフロントアイドラ５がアイドラ軸６で回転自在に軸装され、後端部にはリヤアイドラ２７がアイドラ軸２８で回転自在に軸装される。又、このリヤアイドラ２７の前部上方にはスプロケット２１がスプロケット軸２９で軸装され、このスプロケット軸２９がエンジン８側の駆動軸３０からギヤボックス４０に伝動回転されることによって、スプロケット２１によりクローラ１が回転される。このクローラ１を巻掛けるスプロケット２１は各案内突子２４間に位置してスプロケット穴２２に噛合される。フロントアイドラ５及びリヤアイドラ２７は案内突子２４の外側に位置する外転輪形態としてクローラ回転内周面を支持する構成としている。
前記クローラ１のフロントアイドラ５を軸装するアイドラ軸６は、左右両端部をクローラフレーム２６の前端部に軸受ボス３１を介して支持し、この軸受ボス３１はクローラフレーム２６に対して前後摺動可能に設けられ、調節ボルト３２によって前後に移動させてクローラ１の張力を調節できる。
【００１６】
前記左右のクローラ１の内側の間隔部に巻込阻止ガイド２が設けられる。この巻込阻止ガイド２は、板金製で断面門形状でクローラフレーム２６に沿って長いトンネル形態のトンネルカバー３６に形成して、車体７部乃至クローラフレーム２６に取付ける。この巻込阻止ガイド２の左右両側端縁に沿ってゴム製のゴムガイド３４を設け、このゴムガイド３４の下端縁をクローラ１接地部の回転内側端縁部２５に接近させて沿わせている。このゴムガイド３４の下端縁はクローラ１の回転内側端縁部２５で、このクローラ１の内周面上に接近させてもよく、外側端面の横側に接近させることもできる。又、巻込阻止ガイド２は、図４のように左右独立構成で回転内側端縁部２５に沿う単なる板金製、又は棒形態の構成とすることもできる。又、巻込阻止ガイド２全体をゴム材乃至合成樹脂材等で構成することもできる。従って、巻込阻止ガイド２がトンネルカバー３６である場合は、全体をゴム製、乃至合成樹脂製として簡潔な構成とすることができ、わら草案内時の抵抗を少なくすることができる。
【００１７】
前記刈草処理装置３は、カバー３５で覆われて、刈取幅の中央後側に刈取られた草を案内して排出させる排出口４が形成される。この排出口４は左右のクローラ１間の巻込阻止ガイド２の間隔部にのぞませる。３７は刈草処理装置３の前側中央部に設けたゲージホイル、３８はそのキャスターである。
前記トンネルカバー３６の巻込阻止ガイド２の前端部を左右両側と上方とに拡張形成した拡張案内縁３９を構成し、この拡張案内縁３９の前側に接近させて刈草処理装置３の排出口４を昇降自在にのぞませることにより、作業中に刈草処理装置３が上下動してもわら草の排出案内作用が的確に行われ、この巻込阻止ガイド２との間の継目から外部への飛散を少なくすることができ、巻込阻止ガイド２による案内作用を効果的に行わせることができる。又、巻込阻止ガイド２と刈草処理装置３との継目部にゴムカバー４１を設け、刈草処理装置３の排出口４が上下動してもゴムカバー４１が常に継目部を塞ぐようにしてあるので、更に刈草の飛散が少ない。尚、ゴムカバー４１の形状は図１，図２の形状に限定するものではなく、材質についても弾性を有して継目部を塞ぐものであれば良い。
【００１８】
エンジン８を駆動してクローラ１を回転しながら走行すると共に、ブレード刃
１３を回転させて草刈作業を行うことができる。この刈草処理装置３で刈取られる草は、カバー３５内を後部中央部の排出口４に集送されて、左右クローラ１間の巻込阻止ガイド２間に排出される。更にこの排出された草はトンネルカバー３６の巻込阻止ガイド２間を後方へ案内されて後端部から刈取走行跡地に排出される。この巻込阻止ガイド２によって案内される草は、回転するクローラ１の接地部側には侵入することができず、このクローラ１の内周面とアイドラ５,２７等との間に巻込まれることが少ない。又、図例のように巻込阻止ガイド２の一部、乃至全体がゴムガイド３４のように弾性材から構成される形態では、クローラ１の回転面により接近させることができ、わら草類の巻込をより効果的に防止できる。
【００１９】
クローラ１車体７の前側に草刈装置のように多量の草を刈取しながら地面に排出させる装置を設ける作業機にあっては、図例のようにトンネル形態３６の巻込阻止ガイド２の構成とすることによって、この巻込阻止ガイド２間を案内されるわら草を、クローラ１の内周面に侵入させないばかりか、車体７の底面にも直接接触することがなく、従ってクローラ１への巻き込み防止をより有効に果すことができる。
【００２０】
次に、図４,図５において、上例と異なる点は、前記クローラフレーム２６をクローラ１の回転内側端縁部２５の内側に配置し、左右のクローラフレーム２６の内側にトンネルカバー３６を設けたものである。前部のフロントアイドラ５は内転輪形態としてある。
このアイドラ軸６は左右のクローラフレーム２６間部を門形状に屈曲させた門形ブラケット３３で連結し、対地高さ間隔を高く維持させる。リヤアイドラ２７のアイドラ軸２８は、左右各別に分離してクローラフレーム２６の後端部に軸受けされるが、このアイドラ軸２８も前部のアイドラ軸６と同様に中央部を門形状に形成することもできる。
この構成により、トンネルカバー３６内部の空間を広く形成することができ、わら草の排出案内を円滑に行わせる。
【図面の簡単な説明】
【図１】  本発明の平面配置図。
【図２】  その側面図。
【図３】  その背面図。
【図４】  その一部別実施例を示す斜視図。
【図５】  その一部別実施例を示す斜視図。
【符号の説明】
１    クローラ
２    巻込阻止ガイド
３    刈草処理装置
４    排出口
５    フロントアイドラ
６    アイドラ軸
７ 車体
１３ ブレード刃
３９ 拡張案内縁
【図１】
0004117454.tif 000002
【図２】
0004117454.tif 000003
【図３】
0004117454.tif 000004
【図４】
0004117454.tif 000005
【図５】
0004117454.tif 000006